(57)【要約】【課題】誤作動がなく、火元付近の消火のみ行われて、消火水の無駄がなく、消火水の散水と同時に火災発生時の煙を自然な煙の流れにより室内に拡散することなく、効率良く天井裏を利用して外部へ排出することを可能とした消火装置とする。【解決手段】建物１の天井裏に複数の枝管７が接続された消火水の配管４を設ける。天井裏に散水ノズル８と開閉弁１０を枝管７に設ける。天井裏の空間部３に通じる建物の外壁５に排煙口６を設ける。散水ノズル８の下方に天井２の一部が切り離され、天井裏側に回動するよう付勢された回動天井部１１を設ける。回動天井部１１を天井の裏側から表側に顕在する感熱分解部材１９により天井２に係止する。回動天井部１１を回動時に開閉弁１０が開くよう開閉弁１０の操作レバー９に係合する。感熱分解部材１９の熱による分解により回動天井部１１の係止が解かれ、回動天井部１１が回動し、天井２の一部が開口２５すると共に、開口２５より消火水の散水と天井裏の空間部３への煙の導入が行われる。【選択図】図５
2004129906.tif 000002
【特許請求の範囲】
【請求項１】
建物の天井裏に複数の枝管が接続された消火水の配管が設けられると共に、天井裏に散水ノズルと散水ノズルの開閉弁が前記枝管に設けられ、この天井裏の空間部に通じる建物の外壁に排煙口が設けられ、前記散水ノズルの下方に天井の一部が切り離され、天井裏側に回動するよう付勢された回動天井部が設けられ、この回動天井部は天井の裏側から表側に顕在する感熱分解部材により天井に係止されて回動が阻止されると共に、回動天井部を回動天井部の回動時に前記開閉弁が開くよう開閉弁の操作レバーに係合し、前記感熱分解部材の熱による分解により回動天井部の係止が解かれ、回動天井部が回動し、天井の一部が開口すると共に、この開口より消火水の散水と天井裏の空間部への煙の導入が行われることを特徴とする消火装置。
【請求項２】
天井裏に回動天井部の回動時に保安装置及び緊急連絡装置を作動するスイッチが設けられていることを特徴とする請求項１記載の消火装置。
【発明の詳細な説明】
【０００１】
【発明の属する技術分野】
本発明は、誤作動がなく初期消火を行うことができ、かつ火災発生時の煙を効率良く外部へ排出可能な建物の消火装置に関するものである。
【０００２】
【従来の技術】
従来、初期消火を行うための消火装置として、スプリンクラー装置が一般的で、火元の消火及び火元周囲の延焼を防ぐための散水を行う。
従来のスプリンクラー装置は天井裏に消火水の配管がされて、室内に数箇所配管と連結するスプリンクラーヘッドが設けられている。
このスプリンクラーヘッドは、登録実用新案第３０４１５５８号に示されているように、天井の下面に取り付けられ、室内から視認され目に付き易いものとなっている。
【０００３】
そして、火災発生時の排煙装置は、建物の窓等の開口部を排煙口としているものや、或いは特開平６ー２６９５１１号に提案されているように天井近傍に数箇所に排気口を設けて排煙ダクトを通り排煙ファンで外部へ強制的に排煙するものが提案されている。
【０００４】
【発明が解決しようとする課題】
上記従来の消火装置でスプリンクラーを使用するものは、室内から天井の下面に取り付けられたスプリンクラーヘッドが目に付き、室内の美感を損ない、そのため一般住宅への普及は困難である。
又、自動火災報知設備の火災感知器と連動して作動する装置では、誤作動があると一斉にスプリンクラーヘッドから散水されるため、火元と離れた箇所まで水に濡れ、復旧のため多大の時間と費用を要することになる。
【０００５】
又、従来の排煙装置は室内に予め排気口が開口され、この排気口は視認できるものが殆どであると共に、排気口とスプリンクラーヘッドとは当然別々に設置されているため、室内の美感が損なわれるのは勿論、天井裏にスプリンクラーヘッドの配管や排煙ダクトの配管等で複雑な構成となり、設備費用も高価なものとなる。
【０００６】
上記点より本発明は、誤作動がなく、火元付近の消火のみ行われて消火水の無駄がなく、消火水の散水と同時に火災発生時の煙を自然な煙の流れにより室内に拡散することなく、効率良く天井裏を利用して外部へ排出することを可能とした消火装置を提供しようとするものである。
【０００７】
【課題を解決するための手段】
上記課題を解決するため請求項１の本発明消火装置は、建物の天井裏に複数の枝管が接続された消火水の配管が設けられると共に、天井裏に散水ノズルと散水ノズルの開閉弁が前記枝管に設けられ、この天井裏の空間部に通じる建物の外壁に排煙口が設けられ、前記散水ノズルの下方に天井の一部が切り離され、天井裏側に回動するよう付勢された回動天井部が設けられ、この回動天井部は天井の裏側から表側に顕在する感熱分解部材により天井に係止されて回動が阻止されると共に、回動天井部を回動天井部の回動時に前記開閉弁が開くよう開閉弁の操作レバーに係合し、前記感熱分解部材の熱による分解により回動天井部の係止が解かれ、回動天井部が回動し、天井の一部が開口すると共に、この開口より消火水の散水と天井裏の空間部への煙の導入が行われることを特徴とするものである。
【０００８】
このような構成とすることにより、火災が発生すると、火元の近くの回動天井部は火焔の熱により、天井の裏側から表側に顕在する回動天井部と天井部を係止している感熱分解部材が分解するため、係止が解かれて天井裏側に回動し、この部分が開口される。
この回動天井部の回動により、回動天井部と係合する開閉弁の操作レバーが散水ノズルの開閉弁を開いて、開口より散水が開始され消火する。
【０００９】
この回動天井部は感熱分解部材の熱による分解がない限りは回動しないので、火災の発生時のみ散水し、誤作動による散水の恐れは生じない。
又、火災感知器を別途に設ける必要がなく構成が簡単である。
又、回動天井部は天井裏側に回動するため、散水時に散水の邪魔にならず、又天井の下方で天井近傍に物が置かれていても影響がないと共に、人に当たる恐れもなく確実に回動する。
【００１０】
又、平時は回動天井部は天井と面一となって開口されていないため、天井裏の散水ノズルは隠され、室内の美感を損なうことはない、
又、回動天井部は火元に近い回動天井部のみが回動し、火元から離れている回動天井部は回動しないので、水による被害は最少限で済むと共に、消火水も少なくて済み無駄がない。
【００１１】
一方、燃焼時の立ち昇った煙や有害ガスは、回動天井部の回動により形成された火元に近い開口から直接天井裏の空間部に導入されるので、天井の下面を伝って室内に充満することなく、空間部に通じる外壁に設けた排煙口より外部に効率よく排出される。
【００１２】
この排煙は煙等を火元の近くの開口から自然な流れにより外部へ排出するため、排煙ダクトや排煙ファンが不要であると共に、散水箇所とは別の箇所に排気口を設ける必要がないため構成が簡単になる。
そして、平時は回動天井部は天井と面一となって開口が閉ざされているため、室内の美感を損なうことはない。
【００１３】
次に、請求項２の本発明消火装置は、請求項１の消火装置において、天井裏に回動天井部の回動時に保安装置及び緊急連絡装置を作動するスイッチが設けられていることを特徴とするものである。
【００１４】
このような構成とすることにより、火災発生時にガス供給部、電気供給部、警報音発生器等の保安装置を作動させてガスや電気の供給停止、警報音を発生させることができる。
又、緊急連絡装置を作動し、セキュリティーセンターへの通報や携帯電話機への通報も可能となる。
【００１５】
【発明の実施の形態】
以下、本発明の一実施の形態を図面に基づき説明する。
図１は本発明消火装置の一実施の形態を示す構成概略図、図２は図１の部分拡大斜視図、図３及び図４は図２の作用を示した縦断側面図、図５は図２の縦断正面図、図６は操作レバーの作用を示す部分断面図である。
【００１６】
図中１は家屋等の建物であり、建物１の天井２の裏側の空間部３に消火用水の配管４が設置されている。
配管４は図面では水道配管を利用している。勿論、水源は水道とは別に消火水の貯留タンク（図示せず）を使用することもできる。
又、建物１の天井２の裏側の空間部３に通じる外壁５に排煙口６が設けられている。
【００１７】
又、天井２の裏側の配管４に下向きの枝管７が多数設けられ、枝管７の途中は側方へ屈曲し、斜下方へ向け延長し、下端に散水ノズル８が設けられている。
又、枝管７の途中に操作レバー９を有する開閉弁１０が設けられている。この開閉弁１０まで加圧消火水が供給されている。
【００１８】
１１は散水ノズル８の下方に位置する回動天井部であり、この回動天井部１１は天井２から方形状に切り離されている。
そして、回動天井部１１の裏側に略Ｕ字形の回動枠１２の底部が固定され、回動天井部１１と回動枠１２は一体となっている。
この回動枠１２は回動枠１２の両側側板１２Ａの外側で、天井２の裏側に立設した側枠１３に回動可能に枢着１４されている。
【００１９】
両側の側枠１３は板体の上部と下部に外側に向け直角に屈曲した屈曲片１３Ａが形成されている。
そして、一方の側の側枠１３の上部の屈曲片１３Ａに枝管７が挿通され、枝管７の先方は側枠１３の側方から枢着１４部の真下で回動枠１２の側板１２Ａに挿通し、回動枠１２内の下方に配設されている。
【００２０】
又、回動枠１２の枝管挿通側の側板１２Ａに、回動枠１２の回動時に枝管７に支えないよう溝孔１５が切り抜き形成されている。
１６は回動枠１２の両側板１２Ａの上部間で枢着１４部の真上より前後方向に位置をずらして渡設した棒体であり、この棒体１６と散水ノズル８の頂部間にスプリング１７が張設されている。
このスプリング１７により棒体１６は下方へ常時付勢され、回動枠１２は枢着１４部を支点として棒体１６側へ回動する（図３矢印イ方向）。
【００２１】
１８は天井２と回動天井部１１との境で、回動枠１２の回動方向側の天井２に設けた切り欠き部であり、この切り欠き部１８に回動枠１２の底部側端縁と平行して線状の感熱分解部材１９が掛け渡されている。
この感熱分解部材１９は切り欠き部１８の縁間の天井裏側に設けた略Ｕ字形のブラケット２０間に着脱可能に嵌着されている。
【００２２】
又、感熱分解部材１９は切り欠き部１８により室内側から視認可能に顕在している。感熱分解部材１９は火災時の火焔や排ガスの熱を感じることにより分解するため、易融性を有する金属、合成樹脂、ゴム等の部材や、易燃性を有する木、紐等の部材が使用される。
【００２３】
２１は線状の感熱分解部材１９と直交する方向に突出して回動枠１２の底部に設けた係止突起であり、先端部が感熱分解部材１９上に接触している。
この係止突起２１が感熱分解部材１９に係止していることにより、回動枠１２の回動は阻止されている。
【００２４】
２２は基部２２Ａが回動枠１２の枝管側の側板１２Ａの外側で枢着１４部の下方位置に固定され、先方が側枠１３の後に説明する溝孔２３より外方へ突出し、突出部に開閉弁１０の操作レバー９に係合しているリング２２Ｂを有する係合部材である。
前記側板１３に設けた溝孔２３は、係合部材２２を固定した回動枠１２が回動できるよう係合部材２２の基部２２Ａの移動方向に弧状に形成したものである。これにより、回動枠１２が回動すると、係合部材２２は操作レバー９と係合した状態で移動し、操作レバー９を開閉弁１０の開放側へ回動し、散水ノズル８から散水する。
【００２５】
２４は側枠１３に設けたストッパーであり、ストッパー２４により回動枠１２が９０°回動した時、回動枠１２の側板１２Ａの回動方向と反対側の垂直状態の側端縁が水平状態になった時にこの側端縁が当たり、回動枠１２の回動が停止する（図４）。この時、回動天井部１１は水平状態から直立し、天井２の一部が開口２５する。
【００２６】
２６は側枠１３の上部の屈曲片１３Ａに設けたスイッチであり、平時は回動枠１２の側板１２Ａと接触し、回動枠１２が回動し、側板１２Ａから離れるとスイッチが入るもので、リミットスイッチが良い。
このスイッチ２６にガス管２７の開閉弁２８、電気の供給路の開閉スイッチ２９等の保安装置及び送信機３０等の緊急連絡装置が連絡し、スイッチ２６が入るとガスの供給停止、電気の供給停止、建物の所有者等の携帯電話機や警備会社等への火災発生の送信が行われる。
【００２７】
３１は側枠１３Ａの上部の屈曲片１３Ａに設けたブザー等の警報音発生器であり、回動枠１２側に近接スイッチ３２を設けることもできるが、スイッチ２６に連絡することもできる。
３３は配管４の元栓であり、火災鎮火後手動で閉じる。尚、図中３４は配管４に設けた逆止弁である。
【００２８】
次に、本発明装置の機能を図面に基づき説明すれば、火災が発生すると、火元の近くの回動天井部１１の回動を阻止している感熱分解部材１９が火焔や有害ガスの熱により分解し、係止突起２１との係止が解かれるため、スプリング１７により常時天井２の裏側に回動するように付勢されている回動枠１２は枢着１４部を支点として図１の矢印イ方向へ９０°回動し、ストッパー２４により回動が停止する（図２）。
【００２９】
この回動枠１２の回動により回動天井部１１は共に回動し、回動天井部１１は水平状態から直立状態となり、この部分を開口２５する。
開口２５部には散水ノズル８が下向きに配設されており、この散水ノズル８は回動枠１２の回動時に散水ノズル８の開閉弁１０の操作レバー９に係合する係合部材２２が回動枠１２に固定され、回動枠１２と共に９０°回動し、開閉弁１０を開き、開口２５部より室内に散水する。
又、天井２の一部の開口２５と共に、この開口２５部から燃焼時の立ち昇った煙等は天井裏の空間部３へ導入され、この空間部３に通じる外壁５の排煙口６より外部へ排出される。
【００３０】
又、回動枠１２の回動によりスイッチ２６及び近接スイッチ３２が入り、これにより、ガスの供給停止、電気の供給停止、携帯電話機等への送信が行われると共に、火災を知らせる警報音を発する。鎮火後は消火水の元栓３３を手動で閉じる。
【００３１】
【発明の効果】
本発明によれば、回動天井部は感熱分解部材の熱による分解がない限りは回動しないので、火災発生時のみ散水し、誤作動による散水の恐れがないので、水による被害の発生することはない。
又、火災感知器を別途に設ける必要がなく、構成が簡単で、その分装置も安価となる。
そして、回動天井部は火元に近い回動天井部のみが回動し、火元から離れている回動天井部は回動しないので、水による被害は最少限で済むと共に、消火水も少なくて済み、無駄がないので経済的である。
又、燃焼時の立ち昇った煙等は、開口部から天井裏の空間部を利用して通り、排煙口から外部へ効率良く排出されるので、別途に排煙ダクトや室内に排煙口を設ける必要がないので構成が簡単となる。
更に、平時は散水ノズルが室内から見えないと共に、天井の開口部も閉じているので室内の美感を損なう恐れがなく、店舗や事務所のみならず、マンション、一般住宅等に好適なものとなる。
【図面の簡単な説明】
【図１】本発明消火装置の一実施の形態を示す構成概略図である。
【図２】図１の部分拡大斜視図である。
【図３】図２の作用を示した縦断側面図である。
【図４】図２の作用を示した縦断側面図である。
【図５】図２の縦断正面図である。
【図６】操作レバーの作用を示す部分断面図である。
【符号の説明】
１　建物
２　天井
３　空間部
４　配管
５　外壁
６　排煙口
７　枝管
８　散水ノズル
９　操作レバー
１０　開閉弁
１１　回動天井部
１２　回動枠
１２Ａ　側板
１３　側枠
１４　枢着
１７　スプリング
１８　切り欠き部
１９　感熱分解部材
２１　係止突起
２２　係合部材
２４　ストッパー
２５　開口
２６　スイッチ
【図１】
2004129906.tif 000003
【図２】
2004129906.tif 000004
【図３】
2004129906.tif 000005
【図４】
2004129906.tif 000006
【図５】
2004129906.tif 000007
【図６】
2004129906.tif 000008